(57)【特許請求の範囲】
【請求項１】
多重化された信号を双方向に伝送する伝送系を２組有する通信システムにおける中継装置において、
前記２組の伝送系のいずれか一方の伝送系を選択し、ここを通る信号に含まれる管理情報を終端する手段を有することを特徴とする中継装置。
【請求項２】
前記手段は、選択されない他方の伝送系をハイ・インピーダンス状態に設定する手段を有することを特徴とする請求項１記載の中継装置。
【請求項３】
前記手段は２組の伝送系に共通に設けられ、伝送されてきた管理情報を抽出し、送出すべき管理情報を出力する手段を有することを特徴とする請求項１記載の中継装置。
【請求項４】
前記管理情報は、前記通信システムの中継セクションに関する管理情報を含むセクション・オーバヘッドであることを特徴とする請求項１記載の中継装置。
【請求項５】
前記管理情報は、前記通信システムの中継セクションに関する管理情報を含むセクション・オーバヘッドであり、前記通信システムの多重セクションに関する管理情報を終端しないことを特徴とする請求項１記載の中継装置。
【請求項６】
前記２組の伝送系の１つは、予備の伝送系を構成することを特徴とする請求項１記載の中継装置。
【請求項７】
前記手段は、前記選択されている伝送系を通る信号中の所定の情報を参照していずれか一方の組の伝送系を選択する手段を有することを特徴とする請求項１記載の中継装置。
【請求項８】
前記通信システムの多重セクションを管理する管理情報を終端して前記所定の情報を得る手段を有することを特徴とする請求項７記載の中継装置。
【請求項９】
前記管理情報中の所定の情報とは、障害の発生により系を現用系から予備系に切り替えたことを示す情報であることを特徴とする請求項８記載の中継装置。
【発明の詳細な説明】
【０００１】
【産業上の利用分野】
本発明は、光通信ネットワークに関し、より詳細には同期光通信ネットワークで用いられる中継装置に関する。
近年、広帯域サービスを実現するハイアラーキとして、ＳＤＨ（Ｓｙｎｃｈｒｏｎｏｕｓ  Ｄｉｇｉｔａｌ    Ｈｉｅｒａｒｃｈｙ  ）が国際標準化されている。例えば、例えば北米で実用化されているＳＯＮＥＴ（Ｓｙｎｃｈｒｏｎｏｕｓ    Ｏｐｔｉｃａｌ    ＮＥＴｗｏｒｋ  ）はこのようなハイアラーキの一例である。
【０００２】
【従来の技術】
図２７は、ＳＯＮＥＴの伝送系の一例を示すブロック図である。ポイント・ツー・ポイントネットワーク構成で対向する２つの回線終端装置（ＬＴＥ：Ｌｉｎｅ  Ｔｅｒｍｉｎａｔｅｄ  Ｅｑｕｉｐｍｅｎｔ）ＬＴＥ１とＬＴＥ２との間に、中継装置ＡＤＭ（Ａｄｄ／Ｄｒｏｐ  Ｍｕｌｔｉｐｌｅｘｅｒ）が設けられている。各回線終端装置ＬＴＥ１、ＬＴＥ２は多重化された光信号ＯＣ−Ｎ（ＯＣはＯｐｔｉｃａｌ  Ｃｏｎｔａｉｎｅｒの略で、Ｎは任意の数）の高次群光インタフェース（入出力インタフェース）を構成する。例えばＯＣ−１２は６２２．０８Ｍｂｐｓの伝送速度を持つ。回線終端装置ＬＴＥ１とＬＴＥ２との間は、中継装置ＡＤＭを介して、２組の双方向（Ｂｏｔｈｗａｙ）光伝送系Ｌ１、Ｌ２で接続されている。各光伝送系Ｌ１、Ｌ２において、いずれか一方の光伝送回線（光ファイバ）は現用回線として用い、他方の光伝送回線は予備回線として用いる。中継装置ＡＤＭは、主信号の再生中継及び抽出・挿入（終端機能）する機能に加え、サービス信号を抽出・挿入する機能（終端機能）を有する。サービス信号には、保守者同士が通信する電話回線や、種々の監視制御情報を含み、ＳＯＮＥＴ伝送系の保守、監視に用いる。このようなサービス信号は、伝送信号中のセクション・オーバヘッドＳＯＨやライン・オーバヘッドＬＯＨを用いて伝送される。
【０００３】
ＳＯＮＥＴでは、セクション・オーバヘッドＳＯＨは中継装置間の中継セクションを管理するために用いられ、ライン・オーバヘッドＬＯＨは回線終端装置間の多重セクションを管理するために用いられる。後述するように、セクション・オーバヘッドＳＯＨは３行９列構成で、ライン・オーバヘッドＬＯＨは５行９列構成である。セクション・オーバヘッドＳＯＨ及びライン・オーバヘッドＬＯＨは多重化されたディジタル信号の先頭に付加される。なお、多重化装置間のパスを管理するパス・オーバヘッドも、保守監視に用いられる。
【０００４】
図２８は、上記中継装置ＡＤＭの要部構成を示すブロック図である。回線終端装置ＬＴＥ１からの伝送回線Ｌ１、Ｌ２に対しそれぞれインタフェースＩＮＦ１、ＩＮＦ２が設けられ、回線終端装置ＬＴＥ２からの伝送回線Ｌ１、Ｌ２に対しそれぞれインタフェースＩＮＦ３、ＩＮＦ４が設けられている。図２８では、インタフェースＩＮＦ１〜ＩＮＦ４のうち、オーバヘッドＳＯＨ、ＬＯＨ（サービス信号）を抽出する系を示している。なお、オーバヘッドＳＯＨ、ＬＯＨを挿入する系は省略してある。インタフェースＩＮＦ１とＩＮＦ２の出力はそれぞれハイ・インピーダンス制御部Ｃを介して１つにまとめられ、ＩＮＦ３とＩＮＦ４の出力も同様にハイ・インピーダンス制御部Ｃを介して１つにまとめられている。ＩＮＦ１とＩＮＦ２のいずれか一方のハイ・インピーダンス制御部Ｃをハイ・インピーダンスに設定し、ＩＮＦ３とＩＮＦ４のいずれか一方のハイ・インピーダンス制御部Ｃをハイ・インピーダンスに設定する。換言すれば、ＩＮＦ１とＩＮＦ２のいずれか一方が出力するオーバヘッドＳＯＨ、ＬＯＨを取り出し、ＩＮＦ３とＩＮＦ４のいずれか一方が出力するＳＯＨ、ＬＯＨを取り出す構成である。現用系と予備系とでは、同一の信号が伝送されるので、いずれか一方を介して伝送される信号のオーバヘッドＳＯＨ、ＬＯＨを抽出すれば十分である。
【０００５】
上記中継装置ＡＤＭに類似した中継装置として、リジェネレータ（ＲＥＧ：Ｒｅｇｅｎｅｒａｔｏｒ）と呼ばれるものがある。図２９に示すように、リジェネレータＲＥＧは、中継装置ＡＤＭと同様に、回線終端装置ＬＴＥ１とＬＴＥ２との間に設けられる。また、リジェネレータＲＥＧを中継装置ＡＤＭ間に設けることもある。中継装置ＡＤＭとは異なり、リジェネレータＲＥＧは主信号及びライン・オーバヘッドＬＯＨを抽出・挿入する機能を持たない。
【０００６】
図３０は、上記リジェネレータＲＥＧの要部構成を示すブロック図である。図示するように、各回線毎にインタフェースＩＮＦ１１〜ＩＮＦ１４が設けられている。リジェネレータＲＥＧは中継装置ＡＤＭとは異なり、必ずしも現用及び予備の両方を中継するとは限らない。例えば、図３１に示すように、リジェネレータＲＥＧは、ＬＴＥ１とＬＴＥ２との間の現用系又は予備系のいずれか一方を中継し、また回線終端装置ＬＴＥ３とＬＴＥ４の現用又は予備系のいずれか一方を中継する。従って、図２８に示す構成とは異なり、リジェネレータＲＥＧはハイ・インピーダンス制御部Ｃを持たない。すなわち、図３０に示すように、４つのすべての伝送回線からセクション・オーバヘッドを抽出する。なお、前述したように、ライン・オーバヘッドは抽出せず、スルーさせる。
【０００７】
図３２は、従来のリジェネレータＲＥＧの要部構成を示すブロック図である。図示するリジェネレータＲＥＧは、２つの伝送系の各回線毎に設けられた高次群インタフェース部１０と、オーバヘッド処理部１２ａ、１２ｂ、１２ｃ、１２ｄを有するオーバヘッド処理機構１２とを有する。高次群インタフェース部１０で抽出されたセクション・オーバヘッドＳＯＨは、対応するオーバヘッド処理部１２ａ、１２ｂ、１２ｃ、１２ｄに送出され、ここで終端される。太い矢印で示した主信号は、図示するようにスルー（再生中継であって終端しない）する。
【０００８】
【発明が解決しようとする課題】
しかしながら、図３２に示すような従来のリジェネレータＲＥＧは、各回線毎にオーバヘッド処理部１２ａ〜１２ｄを設けており、装置の小型化、低消費電力化、低コスト化の妨げになっていた。
【０００９】
従って、本発明は小型化、低消費電力化、及び低コスト化を図ったリジェネレータの機能を有する中継装置を提供することを目的する。
また、本発明の別の目的は、中継装置ＡＤＭに多少の改良を施すことで得ることができる構成を有する、リジェネレータの機能を持った中継装置を提供することを目的とする。
【００１０】
【課題を解決するための手段】
上記目的は、以下に示す構成の本発明で達成される。
請求項１に記載の発明は、多重化された信号を双方向に伝送する伝送系を２組有する通信システムにおける中継装置において、前記２組の伝送系のいずれか一方の伝送系を選択し、ここを通る信号に含まれる管理情報を終端する手段を有する。
【００１１】
請求項２に記載の発明では、請求項１記載の前記手段は、選択されない他方の伝送系をハイ・インピーダンス状態に設定する手段を有する。
請求項３に記載の発明では、請求項１記載の前記手段は２組の伝送系に共通に設けられ、伝送されてきた管理情報を抽出し、送出すべき管理情報を出力する手段を有する。
【００１２】
請求項４に記載の発明では、請求項１に記載の前記管理情報は、前記通信システムの中継セクションに関する管理情報を含むセクション・オーバヘッドである。
請求項５に記載の発明では、請求項１記載の前記管理情報は、前記通信システムの中継セクションに関する管理情報を含むセクション・オーバヘッドであり、前記通信システムの多重セクションに関する管理情報を終端しない。
【００１３】
請求項６に記載の発明では、請求項１記載の前記２組の伝送系の１つは、予備の伝送系を構成する。
請求項７に記載の発明では、請求項１記載の前記手段は、前記選択されている伝送系を通る信号中の所定の情報を参照していずれか一方の組の伝送系を選択する手段を有する。
【００１４】
請求項８に記載の発明では、請求項７において、前記通信システムの多重セクションを管理する管理情報を終端して前記所定の情報を得る手段を有する。
請求項９に記載の発明では、前記管理情報中の所定の情報とは、障害の発生により系を現用系から予備系に切り替えたことを示す情報である。
【００１８】
【作用】
請求項１〜９に記載の発明は、多重化された信号を双方向に伝送する伝送系を２組有する通信システムにおける中継装置において、前記２組の伝送系のいずれか一方の伝送系を選択し、ここを通る信号に含まれる管理情報を終端するので、従来各組の伝送系毎に設けていた管理情報を終端する手段に比べ、小型化、低消費電力化、及び低コスト化が可能になる。
【００２１】
【実施例】
図１は、本発明によるリジェネレータＲＥＧの要部構成を示す図である。図示するように、各伝送回線毎に、インタフェースＩＮＦ１５、ＩＮＦ１６、ＩＮＦ１７及びＩＮＦ１８を有する。例えば、光伝送系Ｌ１を現用系として用い、光伝送系Ｌ２を予備系として用いる。各インタフェースＩＮＦ１５〜ＩＮＦ１８は、ハイ・インピーダンス制御部Ｃを具備している。インタフェースＩＮＦ１５とＩＮＦ１６のいずれか一方のハイ・インピーダンス制御部Ｃをハイ・インピーダンスに設定し、インタフェースＩＮＦ１７とＩＮＦ１８のいずれか一方のハイ・インピーダンス制御部Ｃをハイ・インピーダンスに設定する。すなわち、現用系と予備系のいずれか一方を選択して、ここを通る信号中のセクション・オーバヘッドを抽出（終端）し、他方の伝送系を通る信号中のセクション・オーバヘッドを終端しない。この結果、図３０に示す従来のリジェネレータＲＥＧに比べ、処理すべきセクション・オーバヘッドの数は半分に軽減され、装置の小型化、低消費電力化、及び低コスト化が可能となる。
【００２２】
図２は、図１に示す構成を詳細に示すブロック図である。以下、図２に示す構成を本発明の第１の実施例として説明する。
図２に示すように、各伝送回線ごとに高次群インタフェース部２０を設けてある。各高次群インタフェース部２０はそれぞれ、セクション・オーバヘッドＳＯＨの終端を制御するハイ・インピーダンス制御部２１を有する。今、図２の左側に図示されている２つの高次群インタフェース部２０をウェスト側（Ｗ）とし、右側に図示されている２つの高次群インタフェース部２０をイースト側（Ｅ）とすると、ウェスト側の２つのハイ・インピーダンス制御部２１は同一のオーバヘッド切り替え信号２３で制御され、イースト側の２つのハイ・インピーダンス制御部２１は同一のオーバヘッド切り替え信号２３で制御されている。オーバヘッド切り替え信号２３の指示により、イースト側の２つのハイ・インピーダンス制御部２１のいずれか一方がハイ・インピーダンス状態に設定され、ウェスト側の２つのハイ・インピーダンス制御部２１のいずれか一方がハイ・インピーダンス状態に設定される。例えば、予備系に設定されている伝送系Ｌ２をウェスト側及びイースト側ともハイ・インピーダンス状態に設定する。なお、いずれか一方のハイ・インピーダンス制御部２１は、図示しないインバータを介して上記オーバヘッド切り替え信号２３を受け取る。
【００２３】
主信号は、図２の太い矢印のルートを通る。すなわち、主信号はリジェネレータＲＥＧをスルーする。
ウェスト側（Ｗ）のハイ・インピーダンス制御部２１の出力は共通に接続され、オーバヘッド処理機構２２のオーバヘッド処理部２２ａに接続されている。同様に、イースト側（Ｅ）のハイ・インピーダンス制御部２１の出力は共通に接続され、オーバヘッド処理機構２２のオーバヘッド処理部２２ｂに接続されている。また、オーバヘッド処理部２２ａ及び２２ｂから、主信号に挿入されるべきセクション・オーバヘッドＳＯＨが高次群インタフェース部２０に出力される。
【００２４】
このように、ウエスト側（Ｗ）の２つの伝送回線に共通にオーバヘッド処理部２２ａを設け、イースト側（Ｅ）の２つの伝送回線に共通にオーバヘッド処理部２２ｂを設けているので、装置の小型化、低消費電力化、及び低コスト化が可能となる。
【００２５】
以上説明した図１及び図２から、ウエスト側（Ｗ）の２つの伝送回線に共通にオーバヘッド処理部２２ａを設け、イースト側（Ｅ）の２つの伝送回線に共通にオーバヘッド処理部２２ｂを設ける構成は、既存の中継装置ＡＤＭの構成に適合する。よって、既存の中継装置ＡＤＭを流用して、リジェネレータＲＥＧを容易に構成することができる。
【００２６】
図３は、中継装置ＡＤＭを用いてリジェネレータＲＥＧの機能を実現した構成を示すブロック図である。なお、図３中、前述した構成要素と同一のものには同一の参照願号を付してある。太い矢印は主信号のルートを示している。主信号の各ルート上には、主信号用ハイ・インピーダンス制御部２１Ａが設けられている。セクション・オーバヘッドＳＯＨのみオーバヘッド処理機構２２に送られ、主信号はスルー（再生中継）する。
【００２７】
図４は、図１ないし図３に示すリジェネレータＲＥＧの要部の構成を示すブロック図である。伝送系Ｌ１とＬ２のそれぞれの一方の伝送回線にかかる構成を図示してある。伝送系Ｌ１からの光信号を光／電気変換器（Ｏ／Ｅ）３１で電気信号に変換し、これをシリアル／パラレル変換器（Ｓ／Ｐ）３２でパラレル信号に変換する。フレーム同期回路（ＳＹＮＣ）３３はパラレル信号のフレーム同期をとり、デスクランブラ（ＤＳＣＲ）３４はフレーム同期がとられたパラレル信号をデスクランブルする。セクション・オーバヘッドＳＯＨは、抽出／挿入部（ＩＮＳ／ＤＲＰ）３５で抽出され、オーバヘッド処理部（ＰＲＯＣＥＳＳ）３６で処理される。例えば、伝送されてきた保守・監視情報はここで取り出される。また、オーバヘッド処理部３６は伝送すべきセクション・オーバヘッドを抽出／挿入部３５に出力する。セクション・オーバヘッドが付加された伝送信号は、スクランブラ（ＳＣＲ）３７でスクランブルされる。パラレル／シリアル変換部（Ｐ／Ｓ）３８は、パラレル形式の伝送信号をシリアル形式に変換する。電気／光変換部（Ｅ／Ｏ）３９は、受け取ったシリアル形式の電気信号を光信号に変換して、伝送系Ｌ１に送出する。ＰＬＬシンセサイザ４０は、シリアル／パラレル変換部３２で抽出したタイミング信号を内部発振器が生成するタイミング信号と比較し、パラレル／シリアル変換部３８の動作タイミングを生成する。
【００２８】
伝送系Ｌ２の光信号を処理する回路も、上記抽出／挿入部３５及びオーバヘッド処理部３６を除き、伝送系Ｌ１の処理回路と同様に構成されている。
前述したように、セクション・オーバヘッドを処理する回路は、伝送系Ｌ１とＬ２で共用化されているので、抽出／挿入部３５及びオーバヘッド処理部３６は伝送系Ｌ１及びＬ２に共通に設けられている。伝送系Ｌ２のデスクランブラ３４の出力信号は抽出／挿入部３５に与えられる。図４の＊１の部分に、前述のハイ・インピーダンス制御部２１が設けられている。また、抽出／挿入部３５の出力は、伝送系Ｌ２のスクランブラ３７にも接続されている。図４の＊２の部分に、前述のハイ・インピーダンス制御部２１が設けられている。なお、伝送系Ｌ２の主信号はリジェネレータＲＥＧをスルーする（中継再生）ので、図４では便宜上、デスクランブラ３４から直接スクランブラ３７に主信号が伝送されるように図示してある。＊１と＊２に設けられているハイ・インピーダンス制御部２１の切り替え制御は、オーバヘッド処理部３６が出力するオーバヘッド切り替え信号（図３に示す信号２３に相当する）で制御される。なお、図４では、便宜上、この切り替え信号の図示を省略してある。
【００２９】
図５は、図４に示す抽出／挿入部３５の構成を示す図である。セクション・オーバヘッド抽出部３５ａは、いずれか一方のデスクランブラ３４からの信号からセクション・オーバヘッドＳＯＨを抽出する。また、ＡＰＳ（Ａｕｔｏｍａｔｉｃ  Ｐｒｏｔｅｃｔｉｏｎ  Ｓｗｉｔｃｈ）抽出部３５ｂは、Ｋ１及びＫ２バイトからなる自動保護スイッチＡＰＳを抽出する。なお、このＡＰＳ抽出部３５ｂについての詳細は後述する。メモリ（ＭＥＭ）３５ｃは周波数調整用であり、主信号を一時記憶する。セクション・オーバヘッド挿入部３５ｄは、オーバヘッド処理部３６からのセクション・オーバヘッドＳＯＨを主信号の先頭に付加して、スクランブラ３７に出力する。なお、ブロック３５ｅについては後述し、ここではメモリ３５ｃの出力はセクション・オーバヘッド挿入部３５ｄに直接与えられるとして考える。
【００３０】
以上、本発明の第１の実施例によるリジェネレータＲＥＧを説明した。セクション・オーバヘッド処理部は共通化されているので、装置の小型化、低消費電力化、及び低コスト化が可能となる。
次に、本発明の第２の実施例について説明する。第１の実施例では、図２に示すハイ・インピーダンス制御部２１のインピーダンス設定を、伝送系に発生した障害に基づいて動的に行うことを主たる特徴としている。例えば、現用系に障害が発生した場合に、予備系を現用系に設定するとともに、これに応じてハイ・インピーダンス制御部２１の設定も切り替える。
【００３１】
ここで、伝送回線の切り替えについて図６を参照して説明する。図６（Ａ）は、ユニ・ディレクショナル（Ｕｎｉｄｉｒｅｃｔｉｏｎａｌ）切り替え方式を示し、図６（Ｂ）はバイ・ディレクショナル（Ｂｉｄｉｒｅｃｔｉｏｎａｌ）切り替え方式を示す。図６（Ａ）において、現用伝送系Ｌ１の伝送回線に”×”で示す障害が発生した場合、ユニ・ディレクショナル切り替え方式では、障害を受信側（この例の場合、ＬＴＥ２）で検出し、障害が発生した伝送回線に対応する予備系Ｌ２の伝送回線を現用系に切り替える。図６（Ｂ）に示すバイ・ディレクショナル切り替え方式では、上記と同様の障害が発生した場合、受信側の回線終端装置ＬＴＥ２がこれを検出し、伝送系Ｌ２の２つの伝送回線を現用系に切り替える。すなわち、障害が発生していない伝送系Ｌ１の伝送回線も、伝送系Ｌ２の対応する伝送回線に切り替える。
【００３２】
第２の実施例におけるハイ・インピーダンス制御部２１の切り替え制御は、図６（Ａ）及び（Ｂ）のいずれにも対応できる。障害発生時、回線終端装置ＬＴＥ間で伝送されるＡＰＳバイト（Ｋ１、Ｋ２）をリジェネレータＲＥＧがモニタすることで、回線の切り替えが終了したこと（ＡＰＳプロトコルの完了）を検出し、自動的にセクション・オーバヘッドＳＯＨの終端を現用から予備に切り替える。
【００３３】
ここで、ＡＰＳバイトを説明するために、セクション・オーバヘッドＳＯＨ及びパス・オーバヘッドＰＯＨについて説明する。
図７（Ａ）はセクション・オーバヘッドＳＯＨ及びラインオーバヘッドＬＯＨを示す図で、図７（Ｂ）はパス・オーバヘッドＰＯＨを示す図である。公知のように、セクション・オーバヘッドＳＯＨは、３行９列構成であり、ライン・オーバヘッドＬＯＨは５行９列構成である。また、パス・オーバヘッドＰＯＨは９行１列構成である。
【００３４】
図８に、伝送信号のフォーマットを示す。パス・オーバヘッドＰＯＨ及びライン・オーバヘッドＬＯＨは、先頭にパス・オーバヘッドＰＯＨを有するペイロードと呼ばれる主信号の先頭に付加される。ＡＵポインタは、ペイロード中にある多重化された情報の１単位の先頭を示す。
【００３５】
図９に、セクション・オーバヘッドＳＯＨ及びライン・オーバヘッドＬＯＨを構成する記号の定義を示す。前述したように、セクション・オーバヘッドＳＯＨは中継装置（ＡＤＭやＲＥＧ）間の管理に使用され、ライン・オーバヘッドＬＯＨは回線終端装置ＬＴＥ間の管理に使用される。前述のＡＰＳバイトはライン・オーバヘッドＬＯＨに含まれ、Ｋ１、Ｋ２バイトで構成される。Ｋ１バイトは切り替え系の制御に関する情報であり、Ｋ２バイトは多重セクション状態の転送に関する情報である。
【００３６】
図１０に、Ｋ１バイト及びＫ２バイトの詳細を示す。これらのバイトはライン・オーバヘッドＬＯＨの一部であり、通常は回線終端装置ＬＴＥで終端され、公知のＡＰＳプロトコルに従った制御が行われる。Ｋ１バイトは、リクエスト・タイプ（Ｔｙｐｅ  ｏｆ  Ｒｅｑｕｅｓｔ）及びスイッチング・リクエスト・チャネル（Ｓｗｉｔｃｈｉｎｇ  Ｒｅｑｕｅｓｔ  Ｃｈａｎｎｅｌ）情報を含む。Ｋ２バイトは、ブリッジング・チャネル（Ｂｒｉｄｇｉｎｇ  Ｃｈａｎｎｅｌ）、１＋１／１：１、オペレーション・モード（Ｍｏｄｅ  ｏｆ  Ｏｐｅｒａｔｉｏｎ）情報を含む。
【００３７】
リクエスト・タイプには、回線（ライン）切り替えのステータス、コンディション、外部制御内容が示してある。スイッチング・リクエスト・チャネルには、回線のＴａｉｌ−ｅｎｄ（受信側）装置においての、スイッチングが行われる現用回線番号（例えば０〜１５）が示してある。ブリッジング・チャネルには、回線のＴａｉｌ−ｈｅａｄ（送信側）装置においての、ブリッジングが行われる現用回線番号（例えば０〜１５）が示してある。１＋１／１：１の情報には、システム・アーキテクチャが１＋１か１：ｎかの情報が示してある。オペレーション・モードにはユニ・ディレクショナル、バイ・ディレクショナル、回線ＡＩＳ（Ｌｉｎｅ  Ａｌａｒｍ  Ｉｎｄｉｃａｔｉｏｎ  Ｓｉｇｎａｌ：ＬＡＩＳともいう）、回線ＦＥＲＦ（Ｆａｒ  Ｅｎｄ  Ｒｅｃｅｉｖｅ  Ｆａｉｌｕｒｅ：ＬＦＥＲＦともいう）の情報が挿入される。
【００３８】
次に、図１１を参照して、本発明の第２の実施例の動作について説明する。前述したリジェネレータＲＥＧで上記ＡＰＳバイト（Ｋ１、Ｋ２）をモニタし、障害の発生等で回線が切り替ったときに、リジェネレータＲＥＧで終端すべきセクション・オーバヘッドＳＯＨを切り替える。
【００３９】
まず、リジェネレータＲＥＧは、回線終端装置ＬＴＥ１側の現用回線で発生した信号断（ＬＯＳ：Ｌｏｓｓ  ｏｆ  Ｓｉｇｎａｌ）を検出して、ＬＴＥ２側の現用回線に回線障害表示信号ＬＡＩＳ（Ｌｉｎｅ  Ａｌａｒｍ  Ｉｎｄｉｃａｔｉｏｎ  Ｓｉｇｎａｌ）を送出する。この信号は、図５に示すブロック３５ｅが生成する。ＬＴＥ２は回線障害表示信号ＬＡＩＳを検出し、予備（Ｐｒｏｔｅｃｔ）回線に切り替えるための切り替え要求（スイッチンング・リクエスト）を発生する。この切り替え要求はＫ１バイトのスイッチング・リクエスト・チャネルを１に設定し、Ｋ２バイトのブリッジング・チャネルを０に設定することで行われる。回線終端装置ＬＴＥ２からの切り替え要求はリジェネレータＲＥＧをスルーし、ＬＴＥ１はこれを受信する。
【００４０】
ＬＴＥ１は所定の処理を行ってその要求が有効であると判断した場合に、予備回線へブリッジング（切り替え）し、Ｋ１バイトのスイッチング・リクエスト・チャネルを１に設定し、Ｋ２バイトのブリッジング・チャネルを１に設定する。リジェネレータＲＥＧは、予備回線を介して受信した上記”１、１”をモニタする（図の＊１）。このＫ１、Ｋ２バイトは図５に示すＡＰＳ抽出部３５ｂで抽出され、オーバヘッド処理部でこれらの値が判定される。
【００４１】
また上記Ｋ１、Ｋ２バイトは回線終端装置ＬＴＥ２に送出され、受信される。ブリッジング情報を受信したＬＴＥ２は現用回線を予備側に切り替え、スイッチング・リクエスト・チャネル及びブリッジング・リクエスト・チャネルを予備側に維持した情報を送り続ける。リジェネレータＲＥＧは、ＬＴＥ２から予備回線を介して上記”１、１”をモニタすると（図の＊２）、受信ＡＰＳバイトの示すスイッチング・リクエスト・チャネル及びブリッジング・チャネルがＬＴＥ１とＬＴＥ２で一致したことを確認して、受信すべきセクション・オーバヘッドＳＯＨを予備側に切り替える（ハイ・インピーダンスの設定を予備側に切り替える）。
【００４２】
このようにして、障害発生等に起因した回線切り替えが行われても、セクション・オーバヘッドＳＯＨを正常に送受信することができる。
次に、本発明の第３の実施例について説明する。第３の実施例は、障害の発生等に回線を切り替えた際、セクション・オーバヘッドＳＯＨ中の情報の一部をリジェネレータＲＥＧで終端することなくスルーさせることで、無用なアラームの発生や通信の遮断を回避することを意図している。
【００４３】
図１２は、ポイント・ツー・ポイントネットワーク構成で対向する回線終端装置ＬＴＥ１とＬＴＥ２において、現用系は直結し、予備系はリジェネレータＲＥＧを介して接続されている構成を示している。図中、ＬＴＥ１及びＬＴＥ２において、ＴＸｗ、ＴＸｐはそれぞれ現用系及び予備系の送信部を示し、ＲＸｗ及びＲＸｐはそれぞれ現用系及び予備系の受信部を示す。また、ＳＷは予備回線スイッチを示し、前述のユニ・ディレクショナル切り替えを実現する。リジェネレータＲＥＧのＴＸ及びＲＸはそれぞれ送信部及び受信部を示し、ＰＲＯＣＥＳＳはセクション・オーバヘッド処理部を示している。また＃１、＃２は現用回線、＃３〜＃６は予備回線を示す。
【００４４】
図１２に示すリジェネレータＲＥＧは２つの双方向（Ｂｏｔｈｗａｙ）伝送系を収容するが、図１２では一方のみ示している。このようなリジェネレータを図１２に示すように使用する場合、ＬＴＥ１とＬＴＥ２が直結されていることに対応して、セクション・オーバヘッドＳＯＨをスルーに設定することができる。以下、図１２に示すリジェネレータＲＥＧは、通常時、セクション・オーバヘッドＳＯＨをスルーさせる構成であるものとして説明する。
【００４５】
図１２の”×”で示す現用回線＃２上に障害（一次障害）が発生すると、図１１を参照して説明した手順と同様の手順で、現用系から予備系に回線を切り替える。この切り替えにより、リジェネレータＲＥＧで終端するセクション・オーバヘッドＳＯＨも予備側に切り替えられるが、もしこのオーバヘッド中のデータ通信用Ｄ１〜Ｄ３バイト（図７（Ａ）及び図９参照）を終端してしまうとＬＴＥ１の予備側の受信部ＲＸｐ及び予備回線＃３に接続されたリジェネレータＲＥＧの受信部ＲＸでＤＣＣアラームが発生してしまう。データ通信用Ｄ１〜Ｄ３バイト（これをＤＣＣとも言う）は、いわゆるハンド・シェイク方式で通信されるので、受信側からアクノリッジ信号が受信できないと通信が成立せず、ＤＣＣアラームとなる。
【００４６】
現用回線＃２の障害を検出した回線終端装置ＬＴＥ２は予備回線スイッチＳＷを予備側に切り替える。ＬＴＥ１からの信号は予備回線＃３及びリジェネレータＲＥＧ、及び予備回線＃５を介してＬＴＥ２の予備側受信部ＲＸｐで受信される。リジェネレータＲＥＧは、セクション・オーバヘッドＳＯＨを終端するので、Ｄ１〜Ｄ３バイトもここで終端される。従って、ＬＴＥ１からのＤ１〜Ｄ３バイトに対するアクノリッジが得られず、ＬＴＥ１の受信部ＲＸｐでＤＣＣアラームが発生する。同様に、回線＃３に接続されたリジェネレータＲＥＧの受信部ＲＸでもＤＣＣアラームが発生する。
【００４７】
よって、予備回線スイッチＳＷがユニ・ディレクショナル切り替え方式で動作する場合で、現用回線に障害が発生した場合には、Ｄ１〜Ｄ３バイトがリジェネレータＲＥＧをスルーするようにする。なお、この手順については後述する。
なお、Ｄ１〜Ｄ３バイトのみならず、セクション・オーバヘッドＳＯＨのＥ１バイト（音声打ち合わせ）、Ｆ１バイト（故障特定）、Ｂ１バイト（誤り監視）もリジェネレータＲＥＧで終端することなくスルーさせれば、これらの情報が途絶えることを回避することができる。
【００４８】
図１３は、回線終端装置ＬＴＥ１、ＬＴＥ２の予備回線スイッチＳＷがユニ・ディレクショナル切り替え方式で動作し、現用回線＃１に１次障害が発生し、現用回線＃２に２次障害が発生した場合を示す。通常、リジェネレータＲＥＧはセクション・オーバヘッドＳＯＨをスルーさせるように設定されている。これらの障害を検出した回線終端装置ＬＴＥ１、ＬＴＥ２はそれぞれ予備回線スイッチＳＷを予備側に切り替える。この場合にも、セクション・オーバヘッドＳＯＨのＤ１〜Ｄ３バイト、Ｅ１バイト、Ｆ１バイト、Ｂ１バイトを両方向ともリジェネレータＲＥＧで終端するように制御することで、リジェネレータＲＥＧとＬＴＥ１、ＬＴＥ２との間における上記バイトで実現される機能を保証することができる。なお、図１３の場合の手順についても後述する。
【００４９】
図１４は、回線終端装置ＬＴＥ１、ＬＴＥ２の予備回線スイッチＳＷがバイ・ディレクショナル切り替え方式で動作し、現用回線＃１に１次障害が発生した場合を示す。通常、リジェネレータＲＥＧはセクション・オーバヘッドＳＯＨをスルーさせるように設定されている。図１４に示す構成の場合には、現用回線＃１に発生した障害を検出したＬＴＥ１の予備回線スイッチＳＷを予備側に切り替えるとともに、障害が発生していない現用回線＃２に代えて、ＬＴＥ２の予備回線スイッチＳＷが予備側に切り替わる。この場合にも、セクション・オーバヘッドＳＯＨのＤ１〜Ｄ３バイト、Ｅ１バイト、Ｆ１バイト、Ｂ１バイトを両方向ともリジェネレータＲＥＧで終端するように制御することで、リジェネレータＲＥＧとＬＴＥ１、ＬＴＥ２との間における上記バイトで実現される機能を保証することができる。なお、図１３の場合の手順についても後述する。
【００５０】
図１５、図１６及び図１７は図１２、図１３及び図１４の動作を示すフローチャートである。図１５と図１６はＩ−Ｉ線で結合し、図１６と図１７はＩＩ−ＩＩ線で結合する。なお、このフローチャートは、図４及び図５に示すリジェネレータＲＥＧの各部で行われる処理である。図１５は、回線＃３から信号を入力し、回線＃６に出力する処理である。図１７は、回線＃５から信号を入力し、回線＃６に出力する処理である。図１６は、図１５及び図１７の処理で参照されるテーブルを含むステップを示す。
【００５１】
回線＃３から受信した光信号を図４の光／電気変換部３１でシリアル形式の電気信号に変換し（ステップＳＴ１）、次にシリアル／パラレル変換部３２でパラレル形式に変換する（ステップＳＴ３）。そしてフレーム同期部３３でフレーム同期をとり（ステップＳＴ５）、デスクランブラ３４がステップＳＴ７とＳＴ９を実行する。ステップＳＴ７で、デスクランブラ３４はセクション・オーバヘッドＳＯＨをデスクランブルする。ステップＳＴ９で、デスクランブラ３４はライン・オーバヘッドＬＯＨをデスクランブルし、ステップＳＴ１１でＫ１及びＫ２バイトを読み込む。そして、図１６に示すステップＳＴ１３で処理部３６はＫ１、Ｋ２バイトの値から３つのパターンＰＴ＃１、ＰＴ＃２、ＰＴ＃３のどのパターンが示されているかを判断する。図１５では、ステップＳＴ１４のセクション・オーバヘッド切り替え処理でラインＡ又はＢのいずれかが選択され、図１７に示すステップＳＴ１５ではラインＣ又はＤのいずれかが選択される。この選択を図５を参照して説明すると、ラインＢ又はＣが選択された場合にはメモリ３５ｃから読み出されたセクション・オーバヘッドＳＯＨはセクション・オーバヘッド挿入部３５ｄをスルーし、ラインＡ又はＤが選択された場合には処理部３６からのセクション・オーバヘッドＳＯＨがスクランブラ３７に出力される。
【００５２】
ステップＳＴ１３でパターンが特定されると、ステップＳＴ１４で対応するラインを選択する。ラインＡの場合には、ステップＳＴ１６で処理部３６が行うＥ１、Ｆ１、ＤＣＣ（Ｄ１〜Ｄ３）、Ｂ１バイトの読み出し、書き込み処理を行う。ステップＳＴ１６の処理後、又はステップＳＴ１４の処理後、ステップＳＴ１８でスクランブラ３７によりセクション・オーバヘッドＳＯＨをスクランブルする。そして、ステップＳＴ２０で変換部３８によりパラレル／シリアル変換処理を行った後、ステップＳＴ２２で電気／光変換部３９により光信号に変換して、回線＃６に送出する。
【００５３】
図１７に示す処理も、図１５に示す処理と同様である。すなわち、図１７の各ステップＳＴｎは図１５のステップＳＴｎ−１に相当する。
図１６の処理について説明する。図１２に示す構成において、回線終端装置ＬＴＥ１、ＬＴＥ２が現用側回線＃１、＃２で運用している場合において、リジェネレータＲＥＧのセクション・オーバヘッドＳＯＨはスルー設定である。回線＃２に障害が発生した場合でも、図１６に示すステップＳＴ１３においてライン・オーバヘッドＬＯＨのＫ１、Ｋ２からパターンＰＴ＃１を検出することで、セクション・オーバヘッドＳＯＨをスルーさせる。
【００５４】
図１３に示す構成において、回線終端装置ＬＴＥ１、ＬＴＥ２が現用側回線＃１、＃２で運用している場合において、リジェネレータＲＥＧのセクション・オーバヘッドＳＯＨはスルー設定である。また、回線＃１、＃２に障害が発生した場合、図１６に示すステップＳＴ１３においてライン・オーバヘッドＬＯＨのＫ１、Ｋ２からパターンＰＴ＃２を検出することによって、セクション・オーバヘッドを終端させる。よって、リジェネレータＲＥＧと回線終端装置ＬＴＥ１、ＬＴＥ２間でＤ１〜Ｄ３バイト、Ｅ１バイト、Ｆ１バイト、Ｂ１バイトを用いて行われる情報伝達が可能になる。
【００５５】
図１４に示す構成において、回線終端装置ＬＴＥ１、ＬＴＥ２が現用側回線＃１、＃２で運用している場合において、リジェネレータＲＥＧのセクション・オーバヘッドＳＯＨはスルー設定である。また、回線＃１、＃２に障害が発生した場合、図１６に示すステップＳＴ１３においてライン・オーバヘッドＬＯＨのＫ１、Ｋ２からパターンＰＴ＃３を検出することによって、セクション・オーバヘッドを終端させる。よって、リジェネレータＲＥＧと回線終端装置ＬＴＥ１、ＬＴＥ２間でＤ１〜Ｄ３バイト、Ｅ１バイト、Ｆ１バイト、Ｂ１バイトを用いて行われる情報伝達が可能になる。
【００５６】
次に、本発明の第４の実施例を説明する。第４の実施例は、リジェネレータを用いてパス・スイッチ・リング（ＰＳＲ）を構成する場合に関する。
図１８は、パス・スイッチ・リング構成の一例を示すブロック図である。２つの中継装置ＡＤＭ−ＡとＡＤＭ−Ｄとの間に、２つのリジェネレータＲＥＧ−ＢとＲＥＧ−Ｃとが設けられている。中継装置ＡＤＭ−ＡとＡＤＭ−Ｄは、回線終端装置ＬＴＥであってもよい。リジェネレータＲＥＧ−Ｂ、ＲＥＧ−Ｃはそれぞれ２組の双方向伝送系を収容する。各リジェネレータＲＥＧ−Ｂ、ＲＥＧ−Ｃにおいて、セクション・オーバヘッドＳＯＨは一方の双方向伝送系のみで終端し、他方はスルーさせる。図１８では、スルーを１−Ｗ、２−Ｗで示し、終端を１−Ｐ、２−Ｐで示している。また、発生したデータが自分に戻ってこないように、中継装置ＡＤＭ−Ａの１−Ｐ側をマスタに設定して、オーバヘッド・データリンクを予め切断（図１８の×で示す）しておく。中継装置ＡＤＭ−Ｄの１−Ｐ側はスレーブに設定される。すなわち、セクション・オーバヘッドＳＯＨは、各リジェネレータＲＥＧ−Ｂ、ＲＥＧ−Ｃで終端される。
【００５７】
図１９は、パス・スイッチ・リング構成の別の例を示すブロック図である。中継装置ＡＤＭ−ＡとＡＤＭ−Ｄとは一方において直結され、他方においてリジェネレータＲＥＧ−Ｂ、ＲＥＧ−Ｃを介して接続されている。また、中継装置ＡＤＭ−ＥとＡＤＭ−Ｆとは一方において直結され、他方においてリジェネレータＲＥＧ−Ｂ、ＲＥＧ−Ｃを介して接続されている。これにより、図示するように２つのリングＲＩＮＧ１、ＲＩＮＧ２が形成されている。中継装置ＡＤＭ−Ａの１−Ｐ側及びＡＤＭ−Ｅの１−Ｐ側で、オーバヘッド・データリンクは予め切断（図中の×で示す）されている。
【００５８】
図１８及び図１９に示すパス・スイッチ・リング構成では、障害が発生した場合、障害を検出した装置で障害側のオーバヘッド・データリンクを切断し、マスタ側の切断箇所を復旧させるために、障害通知信号をセクション・オーバヘッドＳＯＨ中のＦ１バイト（図９参照）を使用している。
【００５９】
図１９に示す構成において、図２０に示すように、リジェネレータＲＥＧ−Ｂ、ＲＥＧ−Ｃの入った系の伝送回線が☆で示す位置で断線した場合を考える。この場合、リジェネレータＲＥＧ−Ｃの入力は断となるが、リジェネレータＲＥＧ−Ｃの対応する系はスルーに設定されているので、リジェネレータＲＥＧ−Ｃからセクション・オーバヘッドＳＯＨを使って障害情報をリジェネレータＲＥＧ−Ｂを介して中継装置ＡＤＭ−Ａに伝送することができない。よって、中継装置ＡＤＭ−Ｄが孤立してしまう。
【００６０】
本発明の第４の実施例は、上記問題点を解消することを意図している。図２１は、本発明の第４の実施例による再ルーティング手順を示す図である。この再ルーティング手順によれば、セクション・オーバヘッドＳＯＨをスルーするリジェネレータＲＥＧでは、これに接続されるセクション・オーバヘッドＳＯＨを終端する装置にローカル障害情報を送り、これを検出したセクション・オーバヘッドＳＯＨを終端する装置でオーバヘッド・データリンクの切断、障害通知信号の発生を行う。
【００６１】
図２１において、図２０と同じ位置☆で障害が発生した場合、この伝送系のセクション・オーバヘッドＳＯＨをスルーさせるリジェネレータＲＥＧ−Ｃは入力断を隣りのリジェネレータＲＥＧ−Ｂにローカルに通知する（＊で示す矢印）。リジェネレータＲＥＧ−Ｂはこれを検出し、オーバヘッド・データリンク切断（×の位置）、障害通知信号（Ｆ１バイト）の発生を行う。
【００６２】
上述のローカル障害情報は、リジェネレータＲＥＧ−Ｃの障害に対応する系はスルーなので、後続のリジェネレータＲＥＧ−Ｂは障害時に自動的に送られるパターンを認識してリジェネレータＲＥＧ−Ｃの入力障害検出を行う。入力障害時にリジェネレータＲＥＧ−Ｃからは回線障害表示信号ＬＡＩＳ（Ｌｉｎｅ  Ａｌａｒｍ  Ｉｎｄｉｃａｔｉｏｎ  Ｓｉｇｎａｌ）が出力される。この時のセクション・オーバヘッドＳＯＨは規定できないため、オール’０’（Ｆ１バイトも’０’）である。
【００６３】
なお、回線障害表示信号ＬＡＩＳは、前述した図５に示すブロック３５ｅが発生する。メモリ３５ｃから所定時間データの出力がないと、ブロック３５ｅがＬＡＩＳ信号を出力する。
以上の構成から、図２２に示すように、オーバヘッド・スルーのリジェネレータＲＥＧ−Ｃに接続されるオーバヘッド終端のリジェネレータＲＥＧ−Ｂは、ＬＡＩＳとＦ１＝０（障害通知情報なし）を検出し、これが検出された場合にはオーバヘッド・データリンク切断（×の位置）、障害通知信号（Ｆ１＝１）の発生を行う。
【００６４】
また、図２２には、オーバヘッド終端のリジェネレータＲＥＧに入力障害が発生した場合も示してある。この場合には、リジェネレータＲＥＧがこの入力障害を検出して、オーバヘッド・データリンクの切断（×の位置）を行い、障害通知信号Ｆ１を１に設定する（Ｆ１＝１）。この障害通知信号は上記ＬＡＩＳとともに送出され、図２２の例ではオーバヘッド・スルーのリジェネレータＲＥＧをスルーして、後続の装置に送出される。
【００６５】
図２３は、図２１の構成において、図２１を参照して説明した障害に加え、リジェネレータＲＥＧ−Ｃのセクション・オーバヘッドを終端する系に入力障害が発生した場合の再ルーティング手順を示す。リジェネレータＲＥＧ−Ｃのセクション・オーバヘッドを終端する系の入力障害が発生すると、オーバヘッド・データリンクの切断（×の位置）を行い、障害通知信号Ｆ１を１に設定する（Ｆ１＝１）。この障害通知信号は上記ＬＡＩＳとともに送出され、オーバヘッド・スルーのリジェネレータＲＥＧをスルーして、中継装置ＡＤＭ−Ｅに送出される。中継装置ＡＤＭ−ＥではＦ１＝１であることを検出して、いままで切断されていた（×）オーバヘッド・データリンクを接続する（○）。
【００６６】
なお、オーバヘッド・データリンクの切断・接続は、例えば図３に示すハイ・インピーダンス制御部２１、２１Ａの制御で実現できる。
次に、本発明の第５の実施例について説明する。
図４に示す構成において、フレーム同期部３３は並列信号のフレーム同期を内部のバイト・スイッチを用いて行う。例えば、シリアル／パラレル変換器３２から８ビットのデータＤ１〜Ｄ８が出力された場合、この１バイトの先頭データは本来Ｄ０とすれば、フレーム同期部３３はフレーム同期処理を行い、８ビットのパラレルデータＤ０〜Ｄ７を出力する。通常、図４に示すように、フレーム同期部を構成するバイト・スイッチは受信側のみに設けられ、送信側にはない。しかしながら、受信側にのみバイト・スイッチを設けた場合には、発生した障害が復旧した後、システム全体で同期が回復するまで（信号復旧）に多くの時間を要してしまう。この問題点を、図２４を参照して説明する。
【００６７】
今、図２４（Ａ）に示す多重化伝送システムを考える。このシステムは、回線終端装置ＬＴＥ１とＬＴＥ２との間に３つのリジェネレータＲＥＧ１、ＲＥＧ２、ＲＥＧ３が設けられている。各リジェネレータＲＥＧ１、ＲＥＧ２、ＲＥＧ３はそれぞれ送信側にのみバイト・スイッチを有する。図２４（Ｂ）は、リジェネレータＲＥＧ１、ＲＥＧ２、ＲＥＧ３及び回線終端装置ＬＴＥ２の動作を示すタイミング図である。図２４（Ｂ）中、”ＯＯＦ”は同期外れ（Ｏｕｔ  ｏｆ  Ｆｒａｍｅ）を示し、”ＬＯＦ”は信号喪失（Ｌｏｓｓ  ｏｆ  Ｓｉｇｎａｌ）を示す。”ＬＡＩＳ”は前述した回線障害表示信号である。なお、図２４（Ａ）を参照して中継セクションと多重セクションとを説明すると、中継セクションとは、各リジェネレータ間及びリジェネレータと回線終端装置との間のセクションを意味し、多重セクションとは回線終端装置ＬＴＥ１とＬＴＥ２との間のセクションを意味する。
【００６８】
今、図２４（Ａ）の×で示す位置に障害が発生した場合、リジェネレータＲＥＧ１では前方保護時間ｔ￥ｓ１￥ｓ経過後フレーム同期がはずれる。同様に、他のリジェネレータＲＥＧ２、ＲＥＧ３及び回線終端装置ＬＴＥ２でも同時刻にフレーム同期がはずれる。障害が復旧すると、リジェネレータＲＥＧ１では同期引き込み（ハンチング）処理に要する時間と後方保護時間との和ｔ￥ｓ２￥ｓ経過後、フレーム同期が再び確立する。しかしながら、リジェネレータＲＥＧ２、ＲＥＧ３及び回線終端装置ＬＴＥ２では、手前のリジェネレータＲＥＧ１の同期が引き込むたびに、リジェネレータから出力されるフレームの位置が変わるため、一旦同期を引き込みはするが、再び同期がはずれ、障害が復旧してからリジェネレータの段数分だけ信号復旧までに時間を要する。前述した例でリジェネレータＲＥＧのフレーム同期部がパラレルデータＤ１〜Ｄ８を入力してＤ０〜Ｄ７を出力する場合、他のリジェネレータＲＥＧのフレーム同期部も同様に動作するが、障害から復旧した時点で例えばリジェネレータＲＥＧ１のフレーム同期部がパラレルデータＤ３〜Ｄ１０を入力してＤ０〜Ｄ７を出力するようになった場合、他のリジェネレータは直ちにこれに追従できない。
【００６９】
この問題点を解消するために、本発明の第５の実施例では図２５に示すようにリジェネレータＲＥＧを構成する。図２５において、図４に示す構成要素と同一のものには同一の参照番号を付している。なお、図４に示すフレーム同期部３３を、図２５では内部に含まれるバイト・スイッチ（ＢＳＷ）４１をその他の部分を分けて図示してある。また、図４では省略していた受信側タイミング信号発生部（ＰＧＲ）４３も図２５には図示してある。
【００７０】
図２５に示す構成の特徴は、送信側にもバイト・スイッチ（ＢＳＷ）４２を設け、これをフレーム同期部３３で受信側のバイト・スイッチ（ＢＳＷ）４１と同一タイミングで制御する（連動させる）ことにある。このため、スイッチ４１と４２は、正常時にはスイッチ状態が一致する。例えばバイト・スイッチ４１がパラレル・データＤ１〜Ｄ８を入力してＤ０〜Ｄ７を出力する場合、バイト・スイッチ４２はＤ０〜Ｄ７を入力してＤ１〜Ｄ８を出力するように動作する。これにより、受信側及び送信側でフレーム位置が同一タイミングで同一となる。よって、これ以降のリジェネレータＲＥＧでは、同一タイミングで受信側及び送信側のフレーム位置を決定することができ、フレーム位置は変わらない。
【００７１】
図２６は、図２４（Ａ）に示す各リジェネレータが図２５に示す構成を有する場合において、同様の障害が発生した場合の動作を示す図である。図示するように、各リジェネレータＲＥＧ１〜ＲＥＧ３及び回線終端装置ＬＴＥ２では同一タイミングで動作し、同時刻に信号復旧が可能となる。すなわち、図２４に示す場合のように、リジェネレータの段数に依存しない。
【００７２】
以上、本発明の実施例を説明した。本発明は上記実施例に限定されるものではなく、請求の範囲に記載の範囲内において、種々の変形・改良が等業者によって可能である。例えば、上記実施例を適宜組み合わせることができる。
【００７３】
【発明の効果】
以上説明したように、本発明では以下の効果が得られる。
請求項１〜９に記載の発明は、多重化された信号を双方向に伝送する伝送系を２組有する通信システムにおける中継装置において、前記２組の伝送系のいずれか一方の伝送系を選択し、ここを通る信号に含まれる管理情報を終端するので、従来各組の伝送系毎に設けていた管理情報を終端する手段に比べ、小型化、低消費電力化、及び低コスト化が可能になる。
【図面の簡単な説明】
【図１】本発明によるリジェネレータＲＥＧの要部構成を示す図である。
【図２】図１に示す構成を詳細に示すブロック図である。
【図３】中継装置ＡＤＭを用いてリジェネレータＲＥＧの機能を実現した構成を示すブロック図である。
【図４】図１ないし図３に示すリジェネレータＲＥＧの要部の構成を示すブロック図である。
【図５】図４に示す抽出／挿入部３５の構成を示す図である。
【図６】伝送回線の切り替え方式を説明するための図である。
【図７】セクション・オーバヘッドＳＯＨ及びラインオーバヘッドＬＯＨ（同図（Ａ））、並びにパス・オーバヘッドＰＯＨ（同図（Ｂ））を示す図である。
【図８】伝送信号のフォーマットを示す図である。
【図９】セクション・オーバヘッドＳＯＨ及びライン・オーバヘッドＬＯＨを構成する記号の定義を示す図である。
【図１０】Ｋ１バイト及びＫ２バイトの詳細を示す図である。
【図１１】本発明の第２の実施例を説明するための図である。
【図１２】ポイント・ツー・ポイントネットワーク構成で対向する回線終端装置ＬＴＥ１とＬＴＥ２において、現用系は直結し、予備系はリジェネレータＲＥＧを介して接続されている構成を示す図である。
【図１３】回線終端装置ＬＴＥ１、ＬＴＥ２の予備回線スイッチＳＷがユニ・ディレクショナル切り替え方式で動作し、現用回線＃１に１次障害が発生し、現用回線＃２に２次障害が発生した場合を示す図である。
【図１４】回線終端装置ＬＴＥ１、ＬＴＥ２の予備回線スイッチＳＷがバイ・ディレクショナル切り替え方式で動作し、現用回線＃１に１次障害が発生した場合を示す図である。
【図１５】図１２、図１３及び図１４の動作を示すフローチャート（その１）である。
【図１６】図１２、図１３及び図１４の動作を示すフローチャート（その２）である。
【図１７】図１２、図１３及び図１４の動作を示すフローチャート（その３）である。
【図１８】パス・スイッチ・リング構成の一例を示すブロック図である。
【図１９】パス・スイッチ・リング構成の別の例を示すブロック図である。
【図２０】図１９において、リジェネレータＲＥＧ−Ｃの入った系の伝送回線が☆で示す位置で断線した場合を説明するための図である。
【図２１】本発明の第４の実施例による再ルーティング手順を示す図である。
【図２２】本発明の第４の実施例による再ルーティング手順を示す図である。
【図２３】図２１に示す障害に加え、リジェネレータＲＥＧ−Ｃのセクション・オーバヘッドを終端する系に入力障害が発生した場合の再ルーティング手順を示す。
【図２４】フレーム同期はずれ、復旧に関する従来構成を説明するための図である。
【図２５】本発明の第５の実施例によりリジェネレータの構成を示す図である。
【図２６】図２５に示すリジェネレータを用いた場合のフレーム同期はずれ、復旧に関する動作を説明するための図である。
【図２７】ＳＯＮＥＴの伝送系の一例を示すブロック図である。
【図２８】図２７に示す中継装置ＡＤＭの要部構成を示すブロック図である。
【図２９】中継装置ＡＤＭとは異なる使用の中継装置であるリジェネレータＲＥＧを用いた伝送系の一例を示すブロック図である。
【図３０】上記リジェネレータＲＥＧの要部構成を示すブロック図である。
【図３１】リジェネレータを用いた伝送系の別の構成例を示すブロック図である。
【図３２】従来のリジェネレータＲＥＧの要部構成を示すブロック図である。
【符号の説明】
１０    高次群インタフェース部
１２    オーバヘッド処理機構
１２ａ、１２ｂ、１２ｃ、１２ｄ    オーバヘッド処理部
２０    高次群インタフェース部
２１    ハイ・インピーダンス制御部２１
２２    オーバヘッド処理機構
２２ａ、２２ｂ    オーバヘッド処理部
２３    オーバヘッド切り替え信号
【図１】
0003556323.tif 000002
【図２】
0003556323.tif 000003
【図３】
0003556323.tif 000004
【図４】
0003556323.tif 000005
【図５】
0003556323.tif 000006
【図６】
0003556323.tif 000007
【図７】
0003556323.tif 000008
【図８】
0003556323.tif 000009
【図９】
0003556323.tif 000010
【図１０】
0003556323.tif 000011
【図１１】
0003556323.tif 000012
【図１２】
0003556323.tif 000013
【図１３】
0003556323.tif 000014
【図１４】
0003556323.tif 000015
【図１５】
0003556323.tif 000016
【図１６】
0003556323.tif 000017
【図１７】
0003556323.tif 000018
【図１８】
0003556323.tif 000019
【図１９】
0003556323.tif 000020
【図２０】
0003556323.tif 000021
【図２１】
0003556323.tif 000022
【図２２】
0003556323.tif 000023
【図２３】
0003556323.tif 000024
【図２４】
0003556323.tif 000025
【図２５】
0003556323.tif 000026
【図２６】
0003556323.tif 000027
【図２７】
0003556323.tif 000028
【図２８】
0003556323.tif 000029
【図２９】
0003556323.tif 000030
【図３０】
0003556323.tif 000031
【図３１】
0003556323.tif 000032
【図３２】
0003556323.tif 000033